(57)【要約】    【課題】  ジャムが発生した際に、次に給紙されるべき用紙が正しく給紙できる画像形成システム、その制御方法、及びその制御方法を実行するプログラムを格納した記憶媒体を提供する。    【解決手段】  インサータ１２６を使用可能な画像形成システム１の制御方法においては、中断されたジョブを適正に処理できるようにするべく、中断されたジョブに対するリカバリー動作の実行可否を、中断されたジョブがインサータ１２６を使用するジョブであるか否かに基づいて決定する（ステップＳ５００４〜Ｓ５００８）。【選択図】      図２０
2005210754.tif 000002
【特許請求の範囲】
【請求項１】
入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムにおいて、
ジョブが中断された場合において、前記ジョブに対するリカバリー動作を制御する制御手段を有し、
前記制御手段は、中断されたジョブに対する前記リカバリー動作の実行可否を、前記中断されたジョブが前記インサータを使用するジョブであるか否かに基づいて決定することを特徴とする画像形成システム。
【請求項２】
前記制御手段は、中断されたジョブが前記インサータを使用するジョブの場合は、前記ジョブに対するリカバリー動作を自動的に行うことを禁止し、中断されたジョブが前記インサータを使用しないジョブの場合は、前記ジョブに対するリカバリー動作を自動的に行うことを許可することを特徴とする請求項１記載の画像形成システム。
【請求項３】
前記制御手段は、中断されたジョブが前記インサータを使用するジョブの場合は、ユーザからの指示によりリカバリー動作を開始する第１モードを実行し、中断されたジョブが前記インサータを使用しないジョブの場合は、ユーザからの指示なしにリカバリー動作を開始する第２モードを実行することを特徴とする請求項２記載の画像形成システム。
【請求項４】
前記第１のモードでは、前記インサータの確認を促す為の通知をユーザに対して行い、前記第２モードでは、前記インサータの確認を促す為の通知をユーザに対して行うことなく、リカバリー動作を実行することを特徴とする請求項３記載の画像形成システム。
【請求項５】
前記制御手段は、中断されたジョブが前記インサータを使用するジョブの場合において、前記インサータからのシートの枚数が所定枚数未満のときは、前記ジョブに対するリカバリー動作を自動的に行うことを許可することを特徴とする請求項２記載の画像形成システム。
【請求項６】
前記制御手段は、中断されたジョブが前記インサータを使用するジョブの場合において、前記インサータからのシートの枚数が前記所定枚数以上のときは、前記ジョブに対するリカバリー動作を自動的に行うことを禁止することを特徴とする請求項５記載の画像形成システム。
【請求項７】
前記制御手段は、ユーザに対する通知を制御し、中断されたジョブが前記インサータを使用するジョブの場合は、前記インサータの確認を促す為の第１の通知を実行させ、中断されたジョブが前記インサータを使用しないジョブの場合は、前記第１の通知とは異なる第２の通知を実行させることを特徴とする請求項１記載の画像形成システム。
【請求項８】
前記制御手段は、前記画像形成装置におけるシートジャムの発生に応じて、前記ジョブを中断させることを特徴とする請求項１記載の画像形成システム。
【請求項９】
前記制御手段は、前記シート処理装置におけるシートジャムの発生に応じて、前記ジョブを中断させることを特徴とする請求項１記載の画像形成システム。
【請求項１０】
前記画像形成装置は、原稿読取装置から入力されたジョブを処理することを特徴とする請求項１記載の画像形成システム。
【請求項１１】
前記制御手段は、原稿読取装置におけるシートジャムの発生に応じて、前記ジョブを中断させることを特徴とする請求項２記載の画像形成システム。
【請求項１２】
前記画像形成装置は、外部装置から入力されたジョブを処理することを特徴とする請求項１記載の画像形成システム。
【請求項１３】
入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムの制御方法において、
ジョブが中断された場合において、前記ジョブに対するリカバリー動作を制御する制御ステップを有し、
前記制御ステップでは、中断されたジョブに対する前記リカバリー動作の実行可否を、前記中断されたジョブが前記インサータを使用するジョブであるか否かに基づいて決定することを特徴とする画像形成システムの制御方法。
【請求項１４】
入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムに以下のステップを実行させる為のプログラムを記憶したことを特徴とするコンピュータ読取可能な記憶媒体であって、ジョブが中断された場合において、前記ジョブに対するリカバリー動作を制御する制御ステップを有し、
前記制御ステップでは、中断されたジョブに対する前記リカバリー動作の実行可否を、前記中断されたジョブが前記インサータを使用するジョブであるか否かに基づいて決定することを特徴とする記憶媒体。
【請求項１５】
複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムであって、
中断されたジョブのリカバリー動作を制御する制御手段と、を有し、
前記制御手段は、
中断対象のジョブが前記インサータを使用しないジョブの場合に、該ジョブ中断後に操作部を介してユーザからの指示を受付ける事無く、自動的に該ジョブのリカバリー動作を実行することを許可し、
一方、中断対象のジョブが前記インサータを使用するジョブの場合に、該ジョブ中断後に前記操作部を介してユーザからの指示を受ける事無く自動的に該ジョブのリカバリー動作を実行することを禁止し、該ジョブ中断後に前記操作部を介してユーザからの指示を受付けた上で該ジョブのリカバリー動作を実行可能にする、ことを特徴とする画像形成システム。
【請求項１６】
複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムであって、
印刷動作が中断されたジョブのリカバリー動作を制御する制御手段と、を有し、
前記制御手段は、
中断対象のジョブが前記インサータを使用しないジョブの場合に、該ジョブの印刷動作の中断要因が解除後に操作部を介してユーザからの指示を受付ける事無く、自動的に該ジョブのリカバリー動作を実行することを許可し、
一方、中断対象のジョブが前記インサータを使用するジョブの場合に、該ジョブの印刷動作の中断要因が解除後に前記操作部を介してユーザからの指示を受付ける事無く自動的に該ジョブのリカバリー動作を実行することを禁止し、該ジョブの印刷動作の中断要因が解除後に前記操作部を介してユーザからの指示を受付けた上で該ジョブのリカバリー動作を実行可能にする、ことを特徴とする画像形成システム。
【請求項１７】
複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムの制御方法であって、
中断されたジョブのリカバリー動作を実行するにあたり、中断対象のジョブが前記インサータを使用しないジョブの場合に、該ジョブ中断後に操作部を介してユーザからの指示を受付ける事無く、自動的に該ジョブのリカバリー動作を実行することを許可し、
一方、中断対象のジョブが前記インサータを使用するジョブの場合に、該ジョブ中断後に前記操作部を介してユーザからの指示を受ける事無く自動的に該ジョブのリカバリー動作を実行することを禁止し、該ジョブ中断後に前記操作部を介してユーザからの指示を受付けた上で該ジョブのリカバリー動作を実行可能にする、ことを特徴とする画像形成システムの制御方法。
【請求項１８】
複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムの制御方法であって、
印刷動作が中断されたジョブのリカバリー動作を実行するにあたり、中断対象のジョブが前記インサータを使用しないジョブの場合に、該ジョブの印刷動作の中断要因が解除後に操作部を介してユーザからの指示を受付ける事無く、自動的に該ジョブのリカバリー動作を実行することを許可し、
一方、中断対象のジョブが前記インサータを使用するジョブの場合に、該ジョブの印刷動作の中断要因が解除後に前記操作部を介してユーザからの指示を受付ける事無く自動的に該ジョブのリカバリー動作を実行することを禁止し、該ジョブの印刷動作の中断要因が解除後に前記操作部を介してユーザからの指示を受付けた上で該ジョブのリカバリー動作を実行可能にする、ことを特徴とする画像形成システムの制御方法。
【請求項１９】
中断対象のジョブが前記インサータを使用するジョブであっても、中断対象のジョブが前記インサータから１枚のシートをインサートするジョブの場合に、前記操作部を介してユーザからの指示を受付ける事無く自動的に該ジョブのリカバリー動作を実行すること許可し、中断対象のジョブが前記インサータから複数枚のシートをインサートするジョブの場合に、前記操作部を介してユーザからの指示を受付ける事無く自動的に該ジョブのリカバリー動作を実行すること禁止することを特徴とする請求項１７又は１８記載の画像形成システムの制御方法。
【請求項２０】
前記画像形成手段は、スキャナからの画像データ及びコンピュータからの画像データのうちの少なくともいずれかの画像データを複数記憶可能な前記記憶手段の画像データのプリントを実行可能にすることを特徴とする請求項１７乃至１９のいずれか１項に記載の画像形成システムの制御方法。
【請求項２１】
前記画像形成手段は、前記画像形成装置が具備するスキャナからのジョブのデータをプリント可能であり、
中断対象のジョブが前記スキャナからのジョブの場合に、前記画像形成装置の操作部を介してユーザからの指示を受付けたうえで、該ジョブのリカバリー動作を実行させることを特徴とする請求項１７乃至２０のいずれか１項に記載の画像形成システムの制御方法。
【請求項２２】
前記画像形成手段は、コンピュータからのジョブのデータをプリント可能であり、
中断対象のジョブが前記コンピュータからのジョブの場合に、該コンピュータの操作部を介してユーザからの指示を受付けたうえで、該ジョブのリカバリー動作を実行させることを特徴とする請求項１７乃至２１のいずれか１項に記載の画像形成システムの制御方法。
【請求項２３】
前記インサータを使用するジョブとして、前記画像形成されたシートに対して表紙及び合紙及び裏表紙のうちの少なくともいずれかのシートを前記インサータからインサートする為の設定を前記操作部を介してユーザにより実行可能にすることを特徴とする請求項１７乃至２２のいずれか１項に記載の画像形成システムの制御方法。
【請求項２４】
前記画像形成手段により像形成されるシートのジャム、前記画像形成装置が具備するスキャナの原稿フィーダにおける原稿ジャム、及び、前記シート処理装置が具備するステイプルユニットによるステイプルジャム、のうちの、少なくともいずれかの中断要因が発生した場合に、前記ジョブを中断させることを特徴とする請求項１７乃至２３のいずれか１項に記載の画像形成システムの制御方法。
【請求項２５】
前記中断対象のジョブが前記インサータを使用するジョブの場合に、該ジョブのリカバリー動作を実行させるか該ジョブの処理を中止するかをユーザにより選択可能にする為の表示を、該ジョブの中断要因解除後に、前記操作部に表示させ、前記表示を介してユーザからリカバリー動作の実行指示が入力された場合に、前記ジョブのリカバリー動作を実行させ、
一方、前記中断対象のジョブが前記インサータを使用するジョブの場合に、該ジョブの中断要因解除後に前記表示を前記操作部に実行させることなく、自動的に該ジョブのリカバリー動作を実行可能にする、ことを特徴とする請求項１７乃至２４のいずれか１項に記載の画像形成システムの制御方法。
【請求項２６】
請求項１７乃至２５のいずれか１項に記載の制御方法を実行する為のプログラムを記憶したことを特徴とするコンピュータ読取可能な記憶媒体。
【発明の詳細な説明】
【技術分野】
【０００１】
本発明は、画像形成システム、その制御方法、及びその制御方法を実行するプログラムを格納した記憶媒体に関する。
【背景技術】
【０００２】
従来より、複写機やプリンタ等の画像形成システムにおいて、インサータからは表紙だけが給紙されていた（例えば、特許文献１乃至５参照）。
【特許文献１】特開２０００−１４１８２７号公報
【特許文献２】特開２０００−１４３０８３号公報
【特許文献３】米国特許第６３１１０２９号明細書
【特許文献４】特開２００１−２２００５３号公報
【特許文献５】特開２００１−０７２３１８号公報
【発明の開示】
【発明が解決しようとする課題】
【０００３】
表紙や合紙や裏表紙などがインサータから給紙できるようにすると、１つのインサータ（給紙段）に複数の異なる種類の別紙（表紙用シート、合紙用シート、裏表紙用シート）が載置されることになる。このため、ジャム（紙詰まり）の発生等により中断されたジョブをリカバリーしてから給紙する際に、次に給紙されるべき用紙が正しく給紙されない恐れが考えられる。
【０００４】
本発明の目的は、ジャムが発生した際に、次に給紙されるべき用紙が正しく給紙できる画像形成システム、その制御方法、及びその制御方法を実行するプログラムを格納した記憶媒体を提供することにある。
【課題を解決するための手段】
【０００５】
上記目的を達成するために、請求項１記載の画像形成システムは、入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムにおいて、ジョブが中断された場合において、前記ジョブに対するリカバリー動作を制御する制御手段を有し、前記制御手段は、中断されたジョブに対する前記リカバリー動作の実行可否を、前記中断されたジョブが前記インサータを使用するジョブであるか否かに基づいて決定することを特徴とする。
【０００６】
請求項２記載の画像形成システムは、請求項１記載の画像形成システムにおいて、前記制御手段は、中断されたジョブが前記インサータを使用するジョブの場合は、前記ジョブに対するリカバリー動作を自動的に行うことを禁止し、中断されたジョブが前記インサータを使用しないジョブの場合は、前記ジョブに対するリカバリー動作を自動的に行うことを許可することを特徴とする。
【０００７】
請求項３記載の画像形成システムは、請求項２記載の画像形成システムにおいて、前記制御手段は、中断されたジョブが前記インサータを使用するジョブの場合は、ユーザからの指示によりリカバリー動作を開始する第１モードを実行し、中断されたジョブが前記インサータを使用しないジョブの場合は、ユーザからの指示なしにリカバリー動作を開始する第２モードを実行することを特徴とする。
【０００８】
請求項４記載の画像形成システムは、請求項３記載の画像形成システムにおいて、前記第１のモードでは、前記インサータの確認を促す為の通知をユーザに対して行い、前記第２モードでは、前記インサータの確認を促す為の通知をユーザに対して行うことなく、リカバリー動作を実行することを特徴とする。
【０００９】
請求項５記載の画像形成システムは、請求項２記載の画像形成システムにおいて、前記制御手段は、中断されたジョブが前記インサータを使用するジョブの場合において、前記インサータからのシートの枚数が所定枚数未満のときは、前記ジョブに対するリカバリー動作を自動的に行うことを許可することを特徴とする。
【００１０】
請求項６記載の画像形成システムは、請求項５記載の画像形成システムにおいて、前記制御手段は、中断されたジョブが前記インサータを使用するジョブの場合において、前記インサータからのシートの枚数が前記所定枚数以上のときは、前記ジョブに対するリカバリー動作を自動的に行うことを禁止することを特徴とする。
【００１１】
請求項７記載の画像形成システムは、請求項１記載の画像形成システムにおいて、前記制御手段は、ユーザに対する通知を制御し、中断されたジョブが前記インサータを使用するジョブの場合は、前記インサータの確認を促す為の第１の通知を実行させ、中断されたジョブが前記インサータを使用しないジョブの場合は、前記第１の通知とは異なる第２の通知を実行させることを特徴とする。
【００１２】
請求項８記載の画像形成システムは、請求項１記載の画像形成システムにおいて、前記制御手段は、前記画像形成装置におけるシートジャムの発生に応じて、前記ジョブを中断させることを特徴とする。
【００１３】
請求項９記載の画像形成システムは、請求項１記載の画像形成システムにおいて、前記制御手段は、前記シート処理装置におけるシートジャムの発生に応じて、前記ジョブを中断させることを特徴とする。
【００１４】
請求項１０記載の画像形成システムは、請求項１記載の画像形成システムにおいて、前記画像形成装置は、原稿読取装置から入力されたジョブを処理することを特徴とする。
【００１５】
請求項１１記載の画像形成システムは、請求項２記載の画像形成システムにおいて、前記制御手段は、原稿読取装置におけるシートジャムの発生に応じて、前記ジョブを中断させることを特徴とする。
【００１６】
請求項１２記載の画像形成システムは、請求項１記載の画像形成システムにおいて、前記画像形成装置は、外部装置から入力されたジョブを処理することを特徴とする。
【００１７】
上記目的を達成するために、請求項１３記載の画像形成システムの制御方法は、入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムの制御方法において、ジョブが中断された場合において、前記ジョブに対するリカバリー動作を制御する制御ステップを有し、前記制御ステップでは、中断されたジョブに対する前記リカバリー動作の実行可否を、前記中断されたジョブが前記インサータを使用するジョブであるか否かに基づいて決定することを特徴とする。
【００１８】
上記目的を達成するために、請求項１４記載の記憶媒体は、入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムに以下のステップを実行させる為のプログラムを記憶したことを特徴とするコンピュータ読取可能な記憶媒体であって、ジョブが中断された場合において、前記ジョブに対するリカバリー動作を制御する制御ステップを有し、前記制御ステップでは、中断されたジョブに対する前記リカバリー動作の実行可否を、前記中断されたジョブが前記インサータを使用するジョブであるか否かに基づいて決定することを特徴とする。
【００１９】
上記目的を達成するために、請求項１５記載の画像形成システムは、複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムであって、中断されたジョブのリカバリー動作を制御する制御手段と、を有し、前記制御手段は、中断対象のジョブが前記インサータを使用しないジョブの場合に、該ジョブ中断後に操作部を介してユーザからの指示を受付ける事無く、自動的に該ジョブのリカバリー動作を実行することを許可し、一方、中断対象のジョブが前記インサータを使用するジョブの場合に、該ジョブ中断後に前記操作部を介してユーザからの指示を受ける事無く自動的に該ジョブのリカバリー動作を実行することを禁止し、該ジョブ中断後に前記操作部を介してユーザからの指示を受付けた上で該ジョブのリカバリー動作を実行可能にする、ことを特徴とする。
【００２０】
上記目的を達成するために、請求項１６記載の画像形成システムは、複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムであって、印刷動作が中断されたジョブのリカバリー動作を制御する制御手段と、を有し、前記制御手段は、中断対象のジョブが前記インサータを使用しないジョブの場合に、該ジョブの印刷動作の中断要因が解除後に操作部を介してユーザからの指示を受付ける事無く、自動的に該ジョブのリカバリー動作を実行することを許可し、一方、中断対象のジョブが前記インサータを使用するジョブの場合に、該ジョブの印刷動作の中断要因が解除後に前記操作部を介してユーザからの指示を受付ける事無く自動的に該ジョブのリカバリー動作を実行することを禁止し、該ジョブの印刷動作の中断要因が解除後に前記操作部を介してユーザからの指示を受付けた上で該ジョブのリカバリー動作を実行可能にする、ことを特徴とする。
【００２１】
上記目的を達成するために、請求項１７記載の画像形成システムの制御方法は、複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムの制御方法であって、中断されたジョブのリカバリー動作を実行するにあたり、中断対象のジョブが前記インサータを使用しないジョブの場合に、該ジョブ中断後に操作部を介してユーザからの指示を受付ける事無く、自動的に該ジョブのリカバリー動作を実行することを許可し、一方、中断対象のジョブが前記インサータを使用するジョブの場合に、該ジョブ中断後に前記操作部を介してユーザからの指示を受ける事無く自動的に該ジョブのリカバリー動作を実行することを禁止し、該ジョブ中断後に前記操作部を介してユーザからの指示を受付けた上で該ジョブのリカバリー動作を実行可能にする、ことを特徴とする。
【００２２】
上記目的を達成するために、請求項１８記載の画像形成システムの制御方法は、複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムの制御方法であって、印刷動作が中断されたジョブのリカバリー動作を実行するにあたり、中断対象のジョブが前記インサータを使用しないジョブの場合に、該ジョブの印刷動作の中断要因が解除後に操作部を介してユーザからの指示を受付ける事無く、自動的に該ジョブのリカバリー動作を実行することを許可し、一方、中断対象のジョブが前記インサータを使用するジョブの場合に、該ジョブの印刷動作の中断要因が解除後に前記操作部を介してユーザからの指示を受付ける事無く自動的に該ジョブのリカバリー動作を実行することを禁止し、該ジョブの印刷動作の中断要因が解除後に前記操作部を介してユーザからの指示を受付けた上で該ジョブのリカバリー動作を実行可能にする、ことを特徴とする。
【００２３】
請求項１９記載の画像形成システムの制御方法は、請求項１７又は１８記載の画像形成システムの制御方法において、中断対象のジョブが前記インサータを使用するジョブであっても、中断対象のジョブが前記インサータから１枚のシートをインサートするジョブの場合に、前記操作部を介してユーザからの指示を受付ける事無く自動的に該ジョブのリカバリー動作を実行すること許可し、中断対象のジョブが前記インサータから複数枚のシートをインサートするジョブの場合に、前記操作部を介してユーザからの指示を受付ける事無く自動的に該ジョブのリカバリー動作を実行すること禁止することを特徴とする。
【００２４】
請求項２０記載の画像形成システムの制御方法は、請求項１７乃至１９のいずれか１項に記載の画像形成システムの制御方法において、前記画像形成手段は、スキャナからの画像データ及びコンピュータからの画像データのうちの少なくともいずれかの画像データを複数記憶可能な前記記憶手段の画像データのプリントを実行可能にすることを特徴とする。
【００２５】
請求項２１記載の画像形成システムの制御方法は、請求項１７乃至２０のいずれか１項に記載の画像形成システムの制御方法において、前記画像形成手段は、前記画像形成装置が具備するスキャナからのジョブのデータをプリント可能であり、中断対象のジョブが前記スキャナからのジョブの場合に、前記画像形成装置の操作部を介してユーザからの指示を受付けたうえで、該ジョブのリカバリー動作を実行させることを特徴とする。
【００２６】
請求項２２記載の画像形成システムの制御方法は、請求項１７乃至２１のいずれか１項に記載の画像形成システムの制御方法において、前記画像形成手段は、コンピュータからのジョブのデータをプリント可能であり、中断対象のジョブが前記コンピュータからのジョブの場合に、該コンピュータの操作部を介してユーザからの指示を受付けたうえで、該ジョブのリカバリー動作を実行させることを特徴とする。
【００２７】
請求項２３記載の画像形成システムの制御方法は、請求項１７乃至２２のいずれか１項に記載の画像形成システムの制御方法において、前記インサータを使用するジョブとして、前記画像形成されたシートに対して表紙及び合紙及び裏表紙のうちの少なくともいずれかのシートを前記インサータからインサートする為の設定を前記操作部を介してユーザにより実行可能にすることを特徴とする。
【００２８】
請求項２４記載の画像形成システムの制御方法は、請求項１７乃至２３のいずれか１項に記載の画像形成システムの制御方法において、前記画像形成手段により像形成されるシートのジャム、前記画像形成装置が具備するスキャナの原稿フィーダにおける原稿ジャム、及び、前記シート処理装置が具備するステイプルユニットによるステイプルジャム、のうちの、少なくともいずれかの中断要因が発生した場合に、前記ジョブを中断させることを特徴とする。
【００２９】
請求項２５記載の画像形成システムの制御方法は、請求項１７乃至２４のいずれか１項に記載の画像形成システムの制御方法において、前記中断対象のジョブが前記インサータを使用するジョブの場合に、該ジョブのリカバリー動作を実行させるか該ジョブの処理を中止するかをユーザにより選択可能にする為の表示を、該ジョブの中断要因解除後に、前記操作部に表示させ、前記表示を介してユーザからリカバリー動作の実行指示が入力された場合に、前記ジョブのリカバリー動作を実行させ、一方、前記中断対象のジョブが前記インサータを使用するジョブの場合に、該ジョブの中断要因解除後に前記表示を前記操作部に実行させることなく、自動的に該ジョブのリカバリー動作を実行可能にする、ことを特徴とする。
【００３０】
上記目的を達成するために、請求項２６記載の記憶媒体は、請求項１７乃至２５のいずれか１項に記載の制御方法を実行する為のプログラムを記憶したことを特徴とする。
【発明の効果】
【００３１】
請求項１記載の画像形成システム、請求項１３記載の画像形成システムの制御方法、請求項１４記載の記憶媒体によれば、インサータを使用可能な画像形成システムにおいて、中断されたジョブに対するリカバリー動作の実行可否を、中断されたジョブがインサータを使用するジョブであるか否かに基づいて決定するので、中断されたジョブを適正に処理できるようになる。
【００３２】
又、請求項１５、１６記載の画像形成システム、請求項１７、１８記載の画像形成システムの制御方法、請求項２６記載の記憶媒体も同様に、中断されたジョブが、インサータを使用するジョブでも、インサータを使用しないジョブでも、適正に処理できるようになる。
【発明を実施するための最良の形態】
【００３３】
以下、本発明の実施の形態に係る画像形成システムについて図面を参照しながら詳細に説明する。
【００３４】
図１は、本発明の実施の形態に係る画像形成システムを示すブロック図である。
【００３５】
図１において、画像入力装置である白黒原稿の読取り可能な白黒スキャナ(B/WScanner)１００とカラー原稿の読取り可能なカラースキャナ(Color Scanner)１１０、画像出力装置（画像形成装置）である低速白黒プリンタ(B/W 20opm Printer)１２０と中速白黒プリンタ(B/W 40opm Printer)１３０と高速両面白黒プリンタ(B/W 60opm Printer)１４０とカラープリンタ(Color 10ppm Printer)１５０、オフラインでプリント用紙の後処理が可能なオフラインフィニッシャ(Offline Finisher)１６０、大容量ストレージを有するサーバコンピュータ(Server Computer)１７０、個人ユーザ向けのパーソナルコンピュータ(Personal Computer)１８０などがイーサネット（登録商標）(Ethernet（登録商標）)などのＬＡＮ１０に接続されて画像形成システム１が構成されている。この画像形成システム１において、白黒スキャナ１００と低速白黒プリンタ１２０とは白黒専用ビデオバス(Local Video Bus)１１によって接続されている。また、カラースキャナ１１０とカラープリンタ１５０とはカラー専用ビデオバス(Local Video Bus)１２によって接続されている。尚、本形態では、白黒スキャナ１００とイメージコントローラ２００と白黒プリンタ１２０（或いは、１４０）とオンラインフィニッシャ１２４（或いは、１３４）のこれらのユニットは、例えば白黒複写機等の画像形成装置として機能すべく、一体型の構成でも良いし、別体型の構成でも良い。同様に、カラースキャナ１１０とイメージコントローラ２００とカラープリンタ１５０とオンラインフィニッシャ１５４とは、例えばカラー複写機等の画像形成装置として機能すべく、一体型の構成でも良いし、別体型の構成でも良い。何れの場合も本願発明を適用出来る。
【００３６】
白黒スキャナ１００及びカラースキャナ１１０の夫々には、画像読み取り制御及び画像転送制御を行う画像制御装置(Image Controller)２００が専用バス（図示せず）により接続されている。
【００３７】
低速白黒プリンタ１２０、中速白黒プリンタ１３０、高速両面白黒プリンタ１４０、及びカラープリンタ１５０の夫々には、プリントした記録紙の後処理をオンラインで指示できるオンラインフィニッシャ(Online Finisher)１２４，１３４，１４４，１５４が接続されている。
【００３８】
図２は、図１における画像制御装置２００の構成を示すブロック図である。
【００３９】
図２において、画像制御装置(Controller Unit)２００は画像情報やデバイス情報の入出力を行う装置である。画像制御装置(Controller Unit)２００は白黒スキャナ１００や低速白黒プリンタ１２０に接続されており、フィニッシャ１２４を含むスキャナ１００及びプリンタ１２０等の各種ユニットの全体的な制御を司り、後述する図２０のフローチャートの処理を含む各種の処理を実行する。また、ＬＡＮ１０や公衆回線（ＷＡＮ）２０にも接続されている。これにより、ＬＡＮ１０やＷＡＮ２０等を介して入力された外部装置からのデータ（画像情報やデバイス情報等を含む）も処理することができる。
【００４０】
ＣＰＵ２０１はシステム全体を制御するコントローラである。ＲＡＭ２０２はＣＰＵ２０１が動作するためのシステムワークメモリであり、画像データを一時的に記憶するための画像メモリも兼ねている。ＲＯＭ２０３はブートＲＯＭであり、システムのブートプログラム（後述する図２０のフローチャートの処理を含む各種の処理を実行する為のプログラムも含む）が格納されている。ＨＤＤ２０４はハードディスクドライブであり、システムソフトウェアや画像データなどが格納されている。また、このＨＤＤ２０４には、ネットワーク（ＬＡＮ１０）に接続されているノードに関する画像出力速度、設置位置などの情報がアドレス毎に保存されている。
【００４１】
操作部Ｉ／Ｆ２０６は操作部（User Interface）２１０に接続するためのインターフェース部であり、画像データを操作部２１０に出力する。この画像データに基づいて操作部２１０に画像が表示される。本システムの使用者が操作部２１０から入力した情報がこの操作部Ｉ／Ｆ２０６を介してＣＰＵ２０１に伝えられる。
【００４２】
ネットワーク２０９はＬＡＮ１０に接続されており、情報の入出力を行う。モデム２２０は公衆回線２０に接続されており、この公衆回線２０を介して情報の入出力を行う。以上のデバイスはシステムバス２０７上に配置されている。
【００４３】
画像バスＩ／Ｆ２０５は、画像データを高速で転送する画像バス２０８とシステムバス２０７とを接続しており、データ構造を変換するバスブリッジである。画像バス２０８は、具体的にはＰＩＣバスなどの高速バスによって構成される。
【００４４】
画像バス２０８上には以下の各種デバイスが配置されている。ラスターイメージプロセッサ（ＲＩＰ）２３０はＰＤＬコードをビットマップイメージに展開するものである。デバイスＩ／Ｆ部２４０は、画像制御装置２００と白黒スキャナ１００や低速白黒プリンタ１２０とを接続し、画像データの同期系／非同期系の変換を行う。スキャナ画像処理部２５０は入力画像データに対して補正、加工、編集などを行う。プリンタ画像処理部２６０はプリント出力画像データに対してプリンタの補正、解像度変換などを行う。画像回転部２７０は画像データの回転を行う。画像圧縮部２８０は多値画像データをＪＰＥＧに圧縮伸張処理し、２値画像データをＪＢＩＧ、ＭＭＲ、ＭＨに圧縮伸張処理する。
【００４５】
図３は、図２における白黒スキャナ１００の概略を示す側面図である。
【００４６】
白黒スキャナ１００は読み取る原稿をフィードするための原稿フィーダ１０１を備えている。この原稿フィーダ１０１はフィードする原稿をセットするためのトレイ１０２を有している。白黒スキャナ１００は画像の描かれた原稿に光を照射しながらＣＣＤライセンサ（図示せず）で原稿を走査することによって原稿から画像情報を読み取り、読み取った画像情報をラスターイメージデータ３０として電気信号に変換する。ユーザが操作部２１０（図２参照）を操作して、原稿を読み取るための指示を出すと、画像制御装置２００のＣＰＵ２０１がその指示をスキャナ１００に送る。指示を受けたスキャナ１００は、原稿フィーダ１０１によって原稿を１枚ずつフィードしながら原稿上の画像の読取りを実行する。
【００４７】
図４は、図２における低速白黒プリンタ１２０の概略を示す概略斜視図であり、（ａ）は低速白黒プリンタ１２０に接続されているフィニッシャを示す斜視図であり、（ｂ）は低速白黒プリンタ１２０の本体を示す斜視図である。
【００４８】
低速白黒プリンタ１２０は、ラスターイメージデータ４０（図２参照）を記録紙上に画像として形成する。この画像形成の方式として、感光体ドラムや感光体ベルト（いずれも図示せず）を用いた電子写真方式、微少ノズルアレイからインクを吐出して記録紙上に直接に画像を印字するインクジェット方式等がある。
【００４９】
プリント動作の起動は、ＣＰＵ２０１からの指示（ラスターイメージデータ４０）によって開始される。低速白黒プリンタ１２０の内部には、記録紙のサイズや記録紙の向きを選択できるように複数の給紙段が設けられており、これらに対応した複数の給紙カセット１２２ａ，１２２ｂ，１２２ｃ，１２２ｄが装着されている（ｂ）。また、排紙トレイ１２３は、印字が終了した記録紙を受けるものである。（ａ）に示すように低速白黒プリンタ１２０にフィニッシャ１２４が装着されている場合は、印字された記録紙はフィニッシャ１２４に搬送される。フィニッシャ１２４にはステイプラユニット１２５（後処理ユニット）が装着されている。このステイプラユニット１２５によって記録紙を５０枚単位で綴じたり、１００枚単位で綴じたりできる。
【００５０】
フィニッシャ１２４には不図示のインサートトレイを有するインサータユニット１２６が装着されている。このインサータユニット１２６は給紙カセット１２２ａ，１２２ｂ，１２２ｃ，１２２ｄのように一つの給紙段として使用できる。インサータユニット１２６はフィニッシャ１２４に装着されているため、インサータユニット１２６のインサートトレイから給紙される用紙(例えば、表紙や合紙や裏表紙、色紙等)は低速白黒プリンタ１２０内の画像形成部や定着器（いずれも図示せず）などを通過させずにフィニッシャ１２４内に送り込むことができる。したがって、このインサータユニット１２６からの用紙（予め印刷が施されているシート等）には印字（画像形成）を行わないが、低速白黒プリンタ１２０から生じる熱による影響を受けずに（品質が変化すること無く）用紙をプリンタ部１２０からの印字済みの記録紙の間に挿入（組むこと）できる。また、インサータユニット１２６にカラープリント済みの原稿などをセットしておくことによってカラー混在の排紙（出力）がフィニッシャ１２４においてでき、これらを１つ束としてまとめるべく、ステイプルや製本処理することができる。
【００５１】
記録紙の両面に印字する場合は、片面を印字した後に低速白黒プリンタ１２０内で記録紙を反転させる。その後、ＣＰＵ２０１からの指示（ラスターイメージデータ４０）に従い、まだ印字されていない面を印字する。
【００５２】
次に、デバイスＩ／Ｆ２４０について説明する。
【００５３】
図５は、図２のデバイスＩ／Ｆ２４０の構成を示すブロック図である。
【００５４】
図５において、デバイスＩ／Ｆ２４０に備えられた画像バスＩ／Ｆコントローラ２４１が画像バス２０８に接続されており、画像バス２０８のバスアクセスシーケンスを制御する。また、この画像バスＩ／Ｆコントローラ２４１は、以下に述べるデバイスＩ／Ｆ２４０内の各デバイスを制御すると共に外部のスキャナ１００及び低速白黒プリンタ１２０に制御信号を送信する。
【００５５】
スキャンバッファ２４２は、スキャナ１００から送られてきた画像データを一時的に保存すると共にこの保存した画像データを画像バス２０８に同期させて出力する。シリアルパラレル・パラレルシリアル変換部２４３は、スキャンバッファ２４２に保存されている画像データを順番に並べたり、あるいは分解したりして、画像バス２０８に転送できる画像データのデータ幅に変換する。パラレルシリアル・シリアルパラレル変換部２４４は、画像バス２０８から転送されてきた画像データを分解したり、あるいは順番に並べたりして、プリントバッファ２４５に保存できる画像データのデータ幅に変換する。プリントバッファ２４５は、画像バス２０８から送られてきた画像データを一時的に保存すると共にこの保存した画像データをプリンタ１２０に同期させて出力する。
【００５６】
ここで、画像スキャンの処理手順を以下に述べる。スキャナ１００から送られてくる画像データを、同じくスキャナ１００から送られてくるタイミング信号に同期させて、スキャンバッファ２４２に保存する。
【００５７】
画像バス２０８がＰＩＣバスの場合、バッファ２４２内に画像データが３２ビット以上入ったときは、３２ビット分の画像データが先入れ先出しでバッファ２４２からシリアルパラレル・パラレルシリアル変換部２４３に送られる。シリアルパラレル・パラレルシリアル変換部２４３で変換された３２ビットの画像データは画像バスＩ／Ｆコントローラ２４１を介して画像バス２０８上に転送される。また、画像バス２０８がＩＥＥＥ１３９４の場合、バッファ２４２内の画像データを先入れ先出しでバッファ２４２からシリアルパラレル・パラレルシリアル変換部２４３に送られる。シリアルパラレル・パラレルシリアル変換部２４３で変換されたシリアル画像データは画像バスＩ／Ｆコントローラ２４１を介して画像バス２０８上に転送される。
【００５８】
次に画像プリント時の処理手順を示す。画像バス２０８がＰＣＩバスの場合、画像バス２０８から送られてくる３２ビットの画像データが画像バスＩ／Ｆコントローラ２４１に受け取られてパラレルシリアル・シリアルパラレル変換部２４４に送られる。パラレルシリアル・シリアルパラレル変換部２４４では、画像データはプリンタ１２０の入力データビット数に分解され、プリントバッファ２４５に保存される。また、画像バス２０８がＩＥＥＥ１３９４の場合、画像バス２０８から送られてくるシリアル画像データが画像バスＩ／Ｆコントローラ２４１に受け取られてパラレルシリアル・シリアルパラレル変換部２４４に送られる。パラレルシリアル・シリアルパラレル変換部２４４では、画像データはプリンタ１２０の入力データビット数に変換され、プリントバッファ２４５に保存される。プリンタ１２０から送られてくるタイミング信号に同期させて、バッファ２４５内の画像データは先入れ先出しでプリンタ１２０に送られる。
【００５９】
次に、スキャナ画像処理部２５０について説明する。
【００６０】
図６は、図２のスキャナ画像処理部２５０の構成を示すブロック図である。
【００６１】
図６において、画像バスＩ／Ｆコントローラ２５１が画像バス２０８に接続されており、画像バス２０８のバスアクセスシーケンスを制御する。また、画像バスＩ／Ｆコントローラ２５１はスキャナ画像処理部２５０を構成する下記の各デバイスも制御する。
【００６２】
フィルタ処理部２５２は、空間フィルタでありコンボリューション演算を実行する。編集処理部２５３は、例えば入力画像データからマーカーペンによるマーカーで囲まれた閉領域を認識して、その閉領域内の画像データに対して、影つけ、網掛け、ネガポジ反転などの各種の画像加工処理を実行する。変倍処理部２５４は、読取り画像の解像度を変更する場合にラスターイメージの主走査方向について補間演算を行って画像の拡大や縮小を実行する。副走査方向の変倍は、画像読取りラインセンサ（図示せず）の走査速度を変更することによって実行される。テーブル処理部２５５は、読み取った輝度データである画像データを濃度データにテーブル変換する。２値化処理部２５６は多値のグレースケール画像データを誤差拡散処理やスクリーン処理によって２値化する。これらの処理が終了した画像データは、再び画像バスＩ／Ｆコントローラ２５１を介して、画像バス２０８上に転送される。
【００６３】
次に、プリンタ画像処理部２６０について説明する。
【００６４】
図７は、図２のプリンタ画像処理部２６０の構成を示すブロック図である。
【００６５】
図７において、画像バスＩ／Ｆコントローラ２６１が画像バス２０８に接続されており、画像バス２０８のバスアクセスシーケンスを制御する。また、プリンタ画像処理部２６０を構成する各デバイスも制御する。各デバイスのうち解像度変換処理部２６２は、ＬＡＮ１０あるいは公衆回線２０を介して受信した画像データをプリンタ１２０の解像度に変換（解像度変換）する。スムージング処理部２６３は、解像度変換後の画像データのジャギーを滑らかにする処理を行う。なお、「ジャギー」とは、斜め線や曲線が滑らかな線にならずにギザギザになった線のことである。
【００６６】
次に、画像回転処理部２７０について説明する。
【００６７】
図８は、図２の画像回転処理部２７０の構成を示すブロック図である。
【００６８】
図８において、画像バスＩ／Ｆコントローラ２７１が画像バス２０８に接続されており、画像バス２０８のバスシーケンスを制御する。また、この画像バスＩ／Ｆコントローラ２７１は画像回転部２７２にモード等を設定し、画像回転部２７２に画像データを転送するためのタイミング制御も行う。以下に画像回転部２７２の処理手順を述べる。
【００６９】
画像バス２０８を介して、ＣＰＵ２０１（図２参照）が画像バスＩ／Ｆコントローラ２７１に画像回転制御の設定指示をすると、この設定指示に基づいて画像バスＩ／Ｆコントローラ２７１は画像回転部２７２に対して画像回転に必要な設定を行う。設定される項目は、例えば、画像サイズ、回転方向、角度などである。設定が終了した後、再度、ＣＰＵ２０１が画像バスＩ／Ｆコントローラ２７１に対して画像データ転送の許可を行う。この許可に従って画像バスＩ／Ｆコントローラ２７１はＲＡＭ２０２（図２参照）又は画像バス２０８上の各デバイスから画像データの転送を開始する。尚、ここでは回転を行う画像サイズを、例えば３２×３２（ｂｉｔ）とする。また、画像バス２０８上に画像データを転送させる際に３２ｂｉｔを単位とする画像転送を行うものとする。ここで扱う画像は２値を想定する。
【００７０】
上述のような３２×３２（ｂｉｔ）の画像を得るためには、上述の単位のデータ転送を３２回行う必要があり、且つ不連続なアドレスから画像データを転送する必要がある（図１０参照）。
【００７１】
不連続アドレッシングによって転送された画像データは、読出し時に所望の角度に回転されているようにＲＡＭ２７３に書き込まれる。例えば、反時計方向に９０度の回転であれば、最初に転送された３２ｂｉｔの画像データをＹ方向に書き込んでいく（図１１参照）。これを読出し時にはＸ方向に読み出すことによって画像が回転される。
【００７２】
３２×３２（ｂｉｔ）の画像回転（ＲＡＭ２７３への書込み）が完了した後、画像回転部２７２はＲＡＭ２７３から上述した読出し方法で画像データを読み出し、画像バスＩ／Ｆコントローラ２７１に画像を転送する。
【００７３】
回転処理された画像データを受け取った画像バスＩ／Ｆコントローラ２７１は、連続アドレッシングによってＲＡＭ２０２又は画像バス２０８上の各デバイスにデータを転送する。
【００７４】
この一連の処理は、必要なページ数の処理が終了してＣＰＵ２０１からの処理要求が無くなるまで繰り返される。
【００７５】
次に、画像圧縮処理部２８０について説明する。
【００７６】
図９は、図２の画像圧縮処理部２８０の構成を示すブロック図である。
【００７７】
図９において、画像バスＩ／Ｆコントローラ２８１が画像バス２０８に接続されており、画像バス２０８のバスアクセスシーケンスを制御する。また、入力バッファ２８２と出力バッファ２８５との間のデータのやりとりを行うためのタイミング制御及び画像圧縮部２８３に対するモード設定等の制御も行う。この画像圧縮部２８３にはＲＡＭ２８４が接続されている。このように構成された画像圧縮処理部２８０の処理手順は以下のように実行される。
【００７８】
ＣＰＵ２０１が画像バス２０８を介して画像バスＩ／Ｆコントローラ２８１に画像圧縮制御のための設定指示を行う。この設定指示により画像バスＩ／Ｆコントローラ２８１は画像圧縮部２８３に対して画像圧縮に必要な設定を行う。例えば、ＭＭＲ圧縮やＪＢＩＧ伸長などの設定である。この設定を行った後に、再度、ＣＰＵ２０１が画像バスＩ／Ｆコントローラ２８１に対して画像データ転送の許可を行う。この許可に従い、画像バスＩ／Ｆコントローラ２８１はＲＡＭ２０２又は画像バス２０８上の各デバイスから画像データの転送を開始する。受け取った画像データは入力バッファ２８２に一時的に格納し、画像圧縮部２８３の画像データ要求に応じて一定のスピードで画像を転送する。この際、入力バッファ２８２は画像バスＩ／Ｆコントローラ２８１と画像圧縮部２８３との間で画像データを転送できるか否かを判別する。画像バス２０８からの画像データの読込み及び、画像圧縮部２８３への画像の書込みが不可能である場合は、データの転送を行わないように制御する。以下、このような制御をハンドシェークと記す。
【００７９】
画像圧縮部２８３は受け取った画像データを、一旦、ＲＡＭ２８４に格納する。ここで、一旦、画像データをＲＡＭ２８４に格納する理由は、画像圧縮の際には画像圧縮処理の種類によって数ライン分のデータを必要とするので、最初の１ライン分の圧縮を行う以前に数ライン分の画像データを用意しておく必要があるからである。
【００８０】
画像圧縮をされた画像データは直ちに出力バッファ２８５に送られる。出力バッファ２８５では、画像バスＩ／Ｆコントローラ２８１と画像圧縮部２８３との間でハンドシェークが行われ、画像データが画像バスＩ／Ｆコントローラ２８１に転送される。
【００８１】
画像バスＩ／Ｆコントローラ２８１は、圧縮（又は伸長）されて転送されて来た画像データをＲＡＭ２０２又は画像バス２０８上の各デバイスに転送する。この一連の処理は、例えば、必要なページ数の処理が終わったときのようにＣＰＵ２０１からの処理要求が無くなるまで、又は、圧縮時及び伸長時にエラーが発生したときのように画像圧縮部２８３から停止要求が出るまで繰り返される。
【００８２】
以上のように構成された画像形成システムにおいて、スキャナ１００やネットワーク２０９から入力された１つ又は複数の画像はドキュメント（文書）として扱われ、ボックスと呼ばれる画像記録エリアに格納できる。ボックス内の画像データや属性データはＨＤＤ２０４に記録される。
【００８３】
図１２は、図２における操作部２１０に表示されるコピー基本画面を例示する図である。
【００８４】
コピー基本画面３００には、様々なコピー機能を使用する場合に押下する応用モードボタン３０１が表示されている。
【００８５】
図１３は、図２における操作部２１０に表示される応用モード画面を例示する図である。
【００８６】
応用モード画面４００は、コピー基本画面３００において応用モードボタン３０１を押下すると表示される。表紙／合紙ボタン４０１は画像形成の終了した記録紙に表紙（別紙）を付けたり（組んだり）合紙（別紙）を挿入する（組む）場合に使用する。「表紙＋裏表紙」と表示された吹出し４０２は表紙／合紙ボタン４０１を押下したときに表示される。この吹出し４０２は、図１５に示す表紙／合紙選択画面６００における設定内容の一部が表示される。ここでは、画像形成の終了した記録紙に表紙と裏表紙（別紙）とを付ける設定になっていることが「表紙＋裏表紙」の吹出しによって表示されている。
【００８７】
図１４は、図２における操作部２１０に表示される給紙段選択画面を例示する図である。
【００８８】
図１４の表紙／合紙の用紙選択画面５００は、図１５に示す表紙の用紙選択ボタン６０２、裏表紙の用紙選択ボタン６０３、及び合紙章紙の用紙選択ボタン６０４の何れを押下したときにも表示される。ユーザは、この図１４の画面を介して、プリンタが具備する給紙部１２２の他にインサータユニット１２６からの給紙を選択することができる。尚、例えば表紙や裏表紙等のシートをインサータユニット１２６から給紙する場合、プリンタ部を通過せずにフィニッシャ内部にシートを送り込む。従って、インサータユニット１２６にセットするシートは、予め表紙用の画像や裏表紙用の画像をプリントしたものをセットする。ここでは、インサータ給紙段の選択ボタン５０１をユーザが押下し、インサータユニット１２６（図４参照）からの給紙を選択しているものとする。
【００８９】
図１５は、図２における操作部２１０に表示される表紙／合紙設定画面の一例を示す図である。
【００９０】
表紙／合紙設定画面６００は、表紙／合紙の種類と給紙箇所とを選択するための画面であり、表紙／合紙ボタン４０１を押下したときに表示される。表紙を使用するときは表紙ボタン６０１を押下し、裏表紙を使用するときは裏表紙ボタン６０５を押下し、合紙を使用するときは合紙ボタン６０６を押下し、章紙（別紙）を使用するときは章紙ボタン６０７を押下する。これらのボタンがユーザにより押下されると、夫々の給紙段が選択できる。表紙ボタン６０１を押下してから表紙の用紙選択ボタン６０２を押下すると、不図示の給紙部選択画面ウインドウが表示され、表紙の給紙段として、プリンタ部の給紙部１２２及びインサータユニット１２６を含む複数の給紙部の候補の中から所望の給紙部を選択できる。裏表紙ボタン６０５を押下してから裏表紙の用紙選択ボタン６０３を押下すると、不図示の給紙部選択画面ウインドウが表示され、裏表紙の給紙段として、プリンタ部の給紙部１２２及びインサータユニット１２６を含む複数の給紙部の候補の中から所望の給紙部を選択できる。合紙ボタン６０６を押下してから合紙章紙の用紙選択ボタン６０４を押下すると、不図示の給紙部選択画面ウインドウが表示され、合紙章紙の給紙段として、プリンタ部の給紙部１２２及びインサータユニット１２６を含む複数の給紙部の候補の中から所望の給紙部を選択できる。これらの選択の後にＯＫボタン６０８を押下すると設定が完了する。
【００９１】
図１６は、図２における操作部２１０に表示される表紙／合紙設定画面の別の例を示す図である。
【００９２】
表紙／合紙設定画面７００では表紙ボタン７０１と裏表紙ボタン７０３とが押下されている。さらに、表紙の用紙選択ボタン７０２と裏表紙の用紙選択ボタン７０４との操作によって共にインサータユニット１２６が給紙段として選択されている。このように、本形態では、図１５の例のような設定をユーザがした場合、１つの出力結果としてのシート束の中に、インサータユニット１２６からシートを１枚だけ挿入させることもできるし、また、図１６の例のような設定をした場合、１つのシート束の中に、例えば、表紙と裏表紙等、複数枚のシートをインサータユニット１２６から挿入させることもできるようにし、これらをユーザが選択可能に構成している。尚、図１４、図１５、図１６等の設定画面を介してユーザにより設定された情報は、ジョブ情報として、例えば、後述する図２１に示すようなテーブル形式でコントローラ２００により各ジョブ毎に管理される。そして、コントローラ２００は、これらの情報等に基づいて、スキャナ１００やプリンタ部１２０やフィニッシャ１２４やインサータユニット１２６等の各種ユニット動作を制御する。
【００９３】
図１７は、コピー中に図２における操作部２１０に表示されるコピー実行画面を例示する図である。
【００９４】
図１４乃至図１６等の設定画面を介し各種の出力ジョブ設定が済み、操作部２１０のスタートキー（図示せず）を押下すると、コピージョブが始まって原稿の読込みが開始され、コピー実行画面８００が表示される。コピー実行画面に重なって表示されている画面は、コピージョブの進行状況を表示するコピーダイアログ８０１である。
【００９５】
図１８は、図２における操作部２１０に表示されるジャム画面を例示する図である。
【００９６】
ジャム画面９００は、コピージョブの実行中にジャム（紙詰まり）が発生した場合に表示される。
【００９７】
図１９は、ジャムが発生して図１８のジャム通知を行い、その後、ユーザにより紙詰りが除去されたことを検知した後に、図２における操作部２１０に表示されるリカバリー画面を例示する図である。
【００９８】
リカバリー画面１０００は、インサータユニット１２６からの給紙中にジャムが発生した場合に表示されることがある。リカバリー指示ダイアログ１００１はユーザに対する指示を表示する。プリント再開ボタン１００３はジャムを起こしたジョブを再開させる場合に押下する。即ち、ジャムリカバリーの実行指示をユーザがマニュアル指示する。
【００９９】
次に、図２０及び図２１を参照しながらジャムが発生したときの処理について説明する。
【０１００】
図２０は、ジャムが発生したときの処理を示すフローチャートである。この処理を実行する為のプログラムはＲＯＭ２０３等のメモリに格納されており、イメージコントローラ２００により読出し実行される。
【０１０１】
図２１は、給紙管理テーブルを例示する図である。
【０１０２】
給紙管理テーブル１１００はジョブ毎に設けられるものであり、ジョブ中の給紙段の仕様設定情報が格納されている。この例においては、本文１１０１、表紙１１０２、裏表紙１１０３、合紙１１０４はそれぞれ１１０５，１１０６，１１０７，１１０８に対応付けられている。この例によれば、ジョブ１、ジョブ２・・・ジョブＮの計Ｎ個のジョブが出力すべきジョブとして登録されている。ジョブ２の給紙管理情報は１１００−１で、ジョブ２の給紙管理情報は１１００−２で、ジョブＮの給紙管理情報は１１００−Ｎである。
【０１０３】
ジョブ１の給紙情報に関しては、本文１１０１−１の給紙段は自動用紙給紙段であり、表紙１１０２−１はインサータユニットであり、裏表紙１１０３−１はプリンタ部が有すカセット１である。また、合紙１１０４−１は使用しないので「なし」となっている。即ち、ジョブ１はインサータからシートを１枚だけ給紙するジョブである。
【０１０４】
ジョブ２の給紙情報に関しては、本文１１０１−２の給紙段はプリンタ部が有するカセット１であり（即ち、スキャナ１００により読取った本文原稿画像をプリントする為のシートとしてカセット１のシートを使用することを意味する）、表紙１１０２−２はインサータユニットであり（表紙としてインサータユニット１２６にセットされたシートを使用することを意味する）、裏表紙１１０３−２もインサータユニットであり（裏表紙としてインサート１２６にセットされたシートを使用することを意味する）、合紙１１０４−１はプリンタ部が有すカセット２である（合紙としてカセット２のシートを使用する）。即ち、ジョブ２はインサータから複数枚のシート（表紙と裏表紙の２枚分）を給紙するジョブである。
【０１０５】
ジョブＮの給紙情報に関しては、本文１１０１−Ｎの給紙段としてプリンタ部が有するカセット１を使用し、表紙１１０２−Ｎは「なし」であり（表紙は使わない）、裏表紙１１０３−Ｎも「なし」であり（裏表紙も使わない）、合紙１１０４−Ｎも「なし」である（合紙も使用しない）。即ち、ジョブＮはインサータからシートを給紙しないジョブ（インサータを使用しないジョブ）である。
【０１０６】
ジョブ中にジャムが発生したときは、図２０に示すように先ず、ステップＳ５００１でジャム画面９００を操作部２１０に表示してユーザにジャムの発生を知らせると共にジャムを起こしている紙（ジャム紙）の除去をユーザに促す。この後、ジャム紙が除去されてジャムが解消されるまで待機する（ステップＳ５００２）。ジャムが解消されたか否かの判断（シートが除去されたか否かの判断）は、画像形成装置本体及びフィニッシャ内部のシート搬送路に設けられたシート有無を検知する為のセンサからの検出結果等に基づく。ジャムが解消されるとジャム画面９００を消して（ステップＳ５００３）、コピー実行画面８００を操作部２１０に表示する。
【０１０７】
次にジョブにおける給紙段の使用の解析を判別する（ステップＳ５００４）。即ち、図２１に示した給紙管理テーブル１１００に基づいて、ジョブがインサータユニット１２６を給紙段として使用するか否かを判別する。ここで、ジョブがインサータユニット１２６を使用する場合とは、給紙管理テーブル１１００の１１０５，１１０６，１１０７，１１０８に一つでもインサータユニット１２６の指定がある場合をいう。ジョブがインサータユニット１２６を使用する場合は、次のステップＳ５００５に進む。例えば、図２１の例を用いて説明すると、図２１のジョブ１やジョブ２は、インサータユニット１２６を使用するジョブに該当する。従って、これら何れかのジョブにてジャムが発生した場合はステップＳ５００５へ移行する。一方、ジョブＮはインサータユニット１２６を使用しないジョブである。従って、このジョブＮにてジャムが発生した場合は、ステップＳ５００８へと移行する。
【０１０８】
ステップＳ５００５では、当該ジョブが１部の束に対して複数の用紙をインサータユニット１２６から給紙するジョブか否かを判別する。複数の用紙をインサータユニット１２６から給紙する場合、例えば、図１６に示した設定例のように１１０５，１１０６，１１０７，１１０８のうち２つ以上にインサータユニット１２６の指定がある場合は、ユーザにインサータ用紙の再点検を促すために、図１９に示すようなリカバリー指示ダイアログ１００１を表示する（ステップＳ５００６）。例えば、図２１の例を用いて説明すると、図２１のジョブ１の場合、インサータユニット１２６からは１枚しかシートを給送しない。即ち、１部の束に対して複数の用紙をインサータユニット１２６から給紙するジョブではないので、ジョブ１にてジャムが発生した場合、ステップＳ５００８へと移行する。一方、図２１のジョブ２の場合は、インサータユニット１２６から２枚シートを給送する。即ち、当該ジョブが１部の束に対して複数の用紙をインサータユニット１２６から給紙するジョブであるので、ジョブ２にてジャムが発生した場合、ステップＳ５００６へと移行する。
【０１０９】
次に、ユーザからの指示を待ち（ステップＳ５００７）、プリント再開ボタン１００３（図１９）が押下されたときは、ジャムリカバリー処理を実行し、中断していたジョブを再開した後に本処理を終了する（ステップＳ５００８）。尚、ステップＳ５００８におけるリカバリー動作としては、例えば、５頁からなる原稿束を先頭ページから順にプリントする場合において、３頁目の原稿のプリントを行ったシートがジャムとなった場合、リカバリー動作として、３頁目の原稿のプリントから処理を再開する。尚、どのページにおいてジャムが発生したかを確認する方法としては、操作部から入力されたユーザからの設定情報や、画像形成装置の排紙部に設けられた排出枚数をカウントする（出力が完了したシートの枚数をカウントする）為のカウンターからの情報等に基に判別する。又、例えば、パンフレットモード等の製本処理では、画像の入力順序と実際にシートにプリントする画像の出力順序とが異なる（頁順序が入れ替えられてプリントされる）。故に、このような画像形成動作を実行している場合においてジャムが発生した場合、リカバリー動作としては、例えば、１頁目のプリントから処理をやり直す。複数部出力の場合は、部の切れ目から処理を再開する。又、例えば、１ジョブ内で本文原稿に対してインサータユニット１２６からのシートを挿入する画像形成動作においてジャムが発生した場合に、ジャム対象のシートがインサータユニット１２６からのシートの場合、リカバリー動作としては、例えば、インサータユニット１２６からシートを給送する動作から処理を再開する。インサータユニット１２６からのシートがジャムしたかどうかは、例えば、図１４、１５、１６等の操作画面を介して入力されたユーザからの設定情報や、インサータユニット１２６からのシートが搬送されるパス上のセンサからの情報等に基づいて判断する。以上のような処理が、ステップＳ５００８においてリカバリー処理として実行される。
【０１１０】
ステップＳ５００４の判別の結果、ジョブがインサータユニット１２６を使用しない場合は、上記したステップＳ５００５からステップＳ５００７までの各ステップを経ずにステップＳ５００８に進んで本処理を終了する。ここで、ジョブがインサータユニット１２６を使用しない場合とは、給紙管理テーブル１１００の１１０５，１１０６，１１０７，１１０８のいずれにもインサータユニット１２６の指定が無い場合をいう。例えば、図２１の例を用いて説明すると、ジョブＮがそれに該当する。
【０１１１】
ステップＳ５００５の判別の結果、インサータユニット１２６から給紙される用紙が複数でない場合、例えば、図１５に示した設定例のように１１０５，１１０６，１１０７，１１０８のうち１つだけにインサータユニット１２６の指定がある場合は、ステップＳ５００８に進んで本処理を終了する。例えば、図２１の例を用いて説明すると、ジョブ２がそれに該当する。
【０１１２】
図２０の処理によれば、ジャム画面９００を操作部２１０に表示してユーザにジャムの発生を知らせると共にジャムを起こしている紙（ジャム紙）の除去を促す（ステップＳ５００１）。ジャムが解消された後は、給紙管理テーブル１１００に基づいて、ジョブがインサータユニット１２６を使用し（ステップＳ５００４でＹＥＳ）、且つ、当該ジョブが１部の束に対して複数の用紙をインサータユニット１２６から給紙するジョブである（ステップＳ５００５でＹＥＳ）場合に、ユーザにインサータ用紙の再点検を促すために、リカバリー指示ダイアログ１００１を表示する（ステップＳ５００６）。ユーザからの指示によってジャムリカバリー処理を実行し、中断していたジョブを再開した後に本処理を終了する（ステップＳ５００８）。これにより、ユーザは、ジャムリカバリー処理後のジョブを再開する前に、ジョブの再開後に給紙されるべき用紙を確認できるので、確実に正しく用紙を給紙できる。このように、本形態では、シートジャムの発生等に起因して画像形成動作が中断されたジョブのリカバリー動作を行うにあたり、処理が中断されたジョブがインサータユニット１２６を使用するジョブで且つインサータユニット１２６から２枚以上シートを給送させるジョブの場合は、図１９に示すような表示を操作部に行い、ユーザにインサータユニット１２６のチェックを通知する。そして、図１９の画面１００１内のプリント再開ボタン１００３がユーザにより押下されたことに応じて、リカバリー動作を実行するよう制御する。即ち、自動的にリカバリー処理を行うことを禁止して、ユーザからの指示により、リカバリー動作を開始するよう制御する（ユーザからの指示によりリカバリー動作を開始するモード）。一方、中断対象のジョブが、インサータユニット１２６を使用しないジョブの場合、又は、インサータユニット１２６からの１枚だけシートを給送するジョブの場合は、図１９のような通知をユーザに対して実行することなく、自動的にリカバリー処理を実行するよう制御する。即ち、ユーザに対する通知処理を禁止して、自動的にリカバリー動作を開始するよう制御する（ユーザからの指示なしにリカバリー動作を開始するモード）。
【０１１３】
尚、上述の形態では、インサータユニット１２６からシートを１枚給送するか、複数枚給送するかによって、制御を切り換えている。これは、以下のような各種の状況を考慮しているからである。例えば、複数部数分の印刷を行うもので、１部の束の中に、インサータユニット１２６から表紙と裏表紙の２枚のシートを給送する処理の場合、インサータには、表紙と裏表紙が複数部数分順番にセットされる。このような状況下で、例えば、リカバリー動作として、インサータユニット１２６からのシートの給送動作から処理を自動的に再開してしまったら、表紙を挿入すべきところに裏表紙としてのシートが挿入されてしまう等、インサート紙の挿入順序が狂ってしまう不具合等が生じる可能性がある。それ故、本形態では、中断対象のジョブが、１部の束の中に、インサータユニット１２６から複数枚シートを給送させるジョブの場合は、自動的にリカバリー動作を実行せずに、ユーザからの指示によりリカバリー動作を開始するよう制御する。一方、１部の束の中に、インサータユニット１２６から表紙等、１枚だけ給送する処理の場合は、上述のような不具合が生じることがないので、ユーザからの指示なしにリカバリー動作を開始させる。
【０１１４】
又、上述の形態では、１部の束に対して、インサータユニット１２６からシートを１枚給送する場合と、複数枚給送する場合とでリカバリー方法を変えているが、中断対象のジョブが、インサータユニット１２６からシートを１枚給送するジョブであるか複数枚給送するジョブであるかを判断する処理等（ステップＳ５００５の処理等）を簡略化するべく、以下のような構成でも本願発明は適用可能である。
【０１１５】
例えば、中断されたジョブのリカバリー動作を行うにあたり、中断対象のジョブが、インサータユニット１２６を使用するジョブであることに応じて、インサータからのシートの枚数は関係なく、図１９に示すような表示を操作部に行い、ユーザにインサータユニット１２６のチェックを促し、図１９の画面１００１内のプリント再開ボタン１００３がユーザにより押下されたことに応じて、リカバリー動作を実行するよう制御する（即ち、ユーザからの指示によりリカバリー動作を開始するモードを行う）。例えば、図２１の例を用いると、ジョブ１とジョブ2がこれに該当する。一方、中断対象のジョブが、インサータユニット１２６を使用しないジョブであることに応じて、図１９のような通知をユーザに対して実行することなく、自動的にリカバリー処理を実行するよう制御する（ユーザからの指示なしにリカバリー動作を開始するモードを行う）。図２１の例を用いれば、ジョブＮがこれに該当する。尚、この形態の処理を実行する為のフローチャートは、図２０のフローチャートのステップＳ５００４の判断でＹＥＳなら、そのままステップＳ５００６以降の処理へ移し、ステップＳ５００４の判断でＮＯならステップＳ５００８へ移すような構成であれば良い。このように処理することで上述の不具合が発生することも無く、装置の構成を簡略化することができる。
【０１１６】
又、別の形態としては、中断対象のジョブが、如何なるジョブであっても、自動的にリカバリー処理をせずに、ユーザに通知するような構成でも良い。但し、この場合でも、中断対象のジョブが如何なるジョブであるかによって、通知内容を異ならせるよう制御する。例えば、中断対象のジョブが、インサータユニット１２６を使用するジョブ（図２１の例だと、ジョブ１やジョブ２）であることに応じて、図２２（ａ）のような表示を行う。一方、インサータユニット１２６を使用するジョブ（図２１の例だとジョブＮ）でないことに応じて、図２２（ｂ）のような表示を行うよう制御する。
【０１１７】
又、別の形態として、中断対象のジョブが、インサータユニット１２６を使用するジョブで且つインサータユニット１２６から２枚以上シートを給送させるジョブの場合（図２１の例だとジョブ２の場合）に図２２（ａ）のような表示を行う。一方、インサータユニット１２６を使用しないジョブや、インサータユニット１２６から１枚だけシートを給送するジョブの場合（図２１の例だとジョブ１やジョブＮの場合）、図２２（ｂ）のような表示を行うよう制御しても良い。
【０１１８】
又、上述の各種の形態では、シートジャムが発生して場合におけるリカバリー動作について説明したが、原稿フィーダにおける原稿ジャムによるジョブの中断の場合や、フィニッシャ１２４におけるステイプルユニット（不図示）のステイプルジャムによるジョブの中断の場合における、リカバリー動作についても本願発明は適用可能である。何れの場合も、装置内部に設けられた各種のセンサからの情報に基づいて、ジョブを中断し、ユーザによりジョブ中断の原因が除去されたことを確認したら、上述のリカバリー動作の制御を行う。
【０１１９】
又、図２のＬＡＮ１０やＷＡＮ２０を介して入力された外部装置からのデータを処理する場合でも本願発明は適用可能である。この場合、例えば、コンピュータ上に、図１３〜図１９及び図２２に示す各種の操作画面を表示可能に構成し、図１４〜図１６等の画面を介してコンピュータ上にてインサータユニット１２６に対する設定をユーザにより実行させ、これらの設定情報を、画像データとともにプリンタ側に送信し印刷処理を実行させる。そして、ジャムが発生したら、プリンタ側からＰＣ側にその情報を送信し、図１８の表示をＰＣ上で実行させ、ユーザによりジャムが除去されたら、上述の形態と同様に、中断対象のジョブ如何によって、図１９や図２２の表示をＰＣ上で実行させる。そして、ボタン１００３が押下されたことにより、プリンタ側で処理を再開させるよう制御する。
【０１２０】
なお、上記処理は画像制御装置において実行されるものとして説明したが、画像形成装置の制御部（図示せず）が上記処理を実行してもよい。
【０１２１】
また、上記処理方法を記憶した任意の記憶媒体が、画像制御装置又は画像形成装置の制御部に上記処理方法を実行するプログラムを供給し、画像制御装置のＣＰＵ又は不図示のＭＰＵの何れか１つが上記プログラムを実行するようにしてもよい。あるいは、上記記憶媒体が、画像形成装置の制御部に上記プログラムを供給し、画像形成装置の不図示のＣＰＵ又はＭＰＵの何れか１つが上記プログラムを実行するようにしてもよい。上記記憶媒体としては、例えば、ＲＡＭ、ＮＶ−ＲＡＭ、フロッピー（登録商標）ディスク、ハードディスク、光磁気ディスク、ＣＤ−ＲＯＭ、ＭＯ、ＣＤ−ＲＷ、ＤＶＤ（ＤＶＤ−ＲＯＭ、ＤＶＤ−Ｒ）、磁気テープ、不揮発性のメモリカード、他のＲＯＭ等がある。
【０１２２】
また、画像制御装置のＣＰＵ又はＭＰＵのいずれか１つの代わりに、これらと同様の動作をする不図示の回路が上述した実施の形態を実現してもよい。あるいは、画像形成装置の制御部のＣＰＵ又はＭＰＵのいずれか１つの代わりに、これらと同様の動作をする不図示の回路が上述した実施の形態を実現してもよい。
【０１２３】
また、記憶媒体が供給する上記プログラムは、画像制御装置に挿入された不図示の機能拡張ボードや画像制御装置に接続された不図示の機能拡張ユニットに備わる不図示のメモリに書き込まれた後に、その機能拡張ボードや機能拡張ユニットに備わる不図示のＣＰＵ等が上記プログラムの一部又は全部を実行してもよい。あるいは、記憶媒体が供給する上記プログラムは、画像形成装置に挿入された不図示の機能拡張ボードや画像形成装置に接続された不図示の機能拡張ユニットに備わる不図示のメモリに書き込まれた後に、その機能拡張ボードや機能拡張ユニットに備わる不図示のＣＰＵ等が上記プログラムの一部又は全部を実行してもよい。
【図面の簡単な説明】
【０１２４】
【図１】本発明の実施の形態に係る画像形成システムの構成を示すブロック図である。
【図２】図１における画像制御装置２００の構成を示すブロック図である。
【図３】図２における白黒スキャナ１００の概略を示す側面図である。
【図４】図２における低速白黒プリンタ１２０の概略を示す側面図であり、（ａ）は低速白黒プリンタ１２０に接続されているフィニッシャを示す斜視図であり、（ｂ）は低速白黒プリンタ１２０の本体を示す斜視図である。
【図５】図２のデバイスＩ／Ｆ２４０の構成を示すブロック図である。
【図６】図２のスキャナ画像処理部２５０の構成を示すブロック図である。
【図７】図２のプリンタ画像処理部２６０の構成を示すブロック図である。
【図８】図２の画像回転処理部２７０の構成を示すブロック図である。
【図９】図２の画像圧縮処理部２８０の構成を示すブロック図である。
【図１０】画像回転を説明する図である。
【図１１】画像回転の方法を示す図である。
【図１２】図２における操作部２１０に表示されるコピー基本画面を例示する図である。
【図１３】図２における操作部２１０に表示される応用モード画面を例示する図である。
【図１４】図２における操作部２１０に表示される給紙段選択画面を例示する図である。
【図１５】図２における操作部２１０に表示される表紙／合紙設定画面の一例を示す図である。
【図１６】図２における操作部２１０に表示される表紙／合紙設定画面の別の例を示す図である。
【図１７】コピー中に図２における操作部２１０に表示されるコピー実行画面を例示する図である。
【図１８】図２における操作部２１０に表示されるジャム画面を例示する図である。
【図１９】ジャムが発生して図１８のジャム通知を行い、その後、ユーザにより紙詰りが除去されたことを検知した後に、図２における操作部２１０に表示されるリカバリー画面を例示する図である。
【図２０】ジャムが発生したときの処理を示すフローチャートである。
【図２１】給紙管理テーブルを例示する図である。
【図２２】ジョブが中断されたときに、中断されたジョブの種類に応じて表示される画面を示す図であり、（ａ）はインサータユニット１２６を使用するジョブであることに応じて表示される画面を示す図であり、(ｂ）はインサータユニット１２６を使用するジョブでないことに応じて表示される画面を示す図である。
【符号の説明】
【０１２５】
１  画像形成システム
１０  イーサネット（登録商標）（ネットワーク）
１００  白黒スキャナ
１１０  カラースキャナ
１２０  低速の白黒プリンタ（画像形成装置）
１２４  フィニッシャ
１２５  ステイプラユニット（後処理ユニット）
１２６  インサータユニット
１３０  中速の白黒プリンタ（画像形成装置）
１４０  高速の両面白黒プリンタ（画像形成装置）
１５０  カラープリンタ（画像形成装置）
２００  画像制御装置
２１０  操作部
【図１】
2005210754.tif 000003
【図２】
2005210754.tif 000004
【図３】
2005210754.tif 000005
【図４】
2005210754.tif 000006
【図５】
2005210754.tif 000007
【図６】
2005210754.tif 000008
【図７】
2005210754.tif 000009
【図８】
2005210754.tif 000010
【図９】
2005210754.tif 000011
【図１０】
2005210754.tif 000012
【図１１】
2005210754.tif 000013
【図１２】
2005210754.tif 000014
【図１３】
2005210754.tif 000015
【図１４】
2005210754.tif 000016
【図１５】
2005210754.tif 000017
【図１６】
2005210754.tif 000018
【図１７】
2005210754.tif 000019
【図１８】
2005210754.tif 000020
【図１９】
2005210754.tif 000021
【図２０】
2005210754.tif 000022
【図２１】
2005210754.tif 000023
【図２２】
2005210754.tif 000024